(57)【特許請求の範囲】
【請求項１】
オーディオデータの符号圧縮データを含むコンテンツフレームを配信するコンテンツ配信サーバであって、
前記コンテンツフレームは、前記符号圧縮データを部分的に切り出すことができるように、前記コンテンツフレームの拡張機能部に、前記符号圧縮データにおける１つ以上の切り出し位置情報を含んでおり、
オーディオデータを符号圧縮して、符号圧縮データを出力する符号圧縮手段と、
前記オーディオデータの時間カウントと、前記符号圧縮データの先頭からのデータ単位数カウントによって、利用者所望の時間位置におけるデータ単位数を切り出し位置情報として出力する切り出し位置指定手段と、
前記符号圧縮データをデータ部に含め、前記切り出し位置情報を前記拡張機能部に含めて前記コンテンツフレームを生成するコンテンツフレーム生成手段と
を有することを特徴とするコンテンツ配信サーバ。
【請求項２】
前記符号圧縮データは複数のフラグメントからなり、該フラグメントは複数のチャンクからなり、該チャンクは複数のサンプルからなり、
前記切り出し位置情報は、サンプル単位で規定できる開始位置情報と終了位置情報とを有し、前記開始位置情報は、前記符号圧縮データの先頭から当該位置までのデータ単位数で表され、前記終了位置情報は、前記符号圧縮データの先頭から当該位置までのデータ単位数か又は前記開始位置情報から当該位置までのデータ単位数であり、前記開始位置情報及び終了位置情報は、当該位置を意味するテキスト情報及び／又は再生におけるフェード情報を更に含むことを特徴とする請求項１に記載のコンテンツ配信サーバ。
【請求項３】
前記符号圧縮データはＩＳＯベースメディアファイルフォーマットデータであり、
前記コンテンツフレームは３ＧＰＰ又は３ＧＰＰ２ファイルフォーマットである
ことを特徴とする請求項１に記載のコンテンツ配信サーバ。
【請求項４】
オーディオデータの符号圧縮データを含むコンテンツフレームを受信する端末であって、
前記コンテンツフレームは、前記符号圧縮データを部分的に切り出すことができるように、前記コンテンツフレームの拡張機能部に、前記符号圧縮データにおける１つ以上の切り出し位置情報を含んでおり、
前記コンテンツフレームと、切り出された符号圧縮データとを記憶するコンテンツ記憶手段と、
前記コンテンツフレームの拡張機能部に含まれる１つ以上の切り出し位置情報を利用者に選択させるために、選択可能な表示画面情報を出力する切り出し選択手段と、
前記選択された切り出し位置情報に相当する部分を、前記コンテンツフレームの符号圧縮データから切り出すデータ切り出し手段と
を有することを特徴とする端末。
【請求項５】
前記符号圧縮データは複数のフラグメントからなり、該フラグメントは複数のチャンクからなり、該チャンクは複数のサンプルからなり、
前記切り出し位置情報は、サンプル単位で規定できる開始位置情報と終了位置情報とを有し、前記開始位置情報は、前記符号圧縮データの先頭から当該位置までのデータ単位数で表され、前記終了位置情報は、前記符号圧縮データの先頭から当該位置までのデータ単位数か又は前記開始位置情報から当該位置までのデータ単位数であり、当該位置を意味するテキスト情報及び／又は再生におけるフェード情報を更に含んでおり、前記開始位置情報及び前記終了位置情報は、当該位置を意味するテキスト情報及び／又は再生におけるフェード情報を更に含むことを特徴とする請求項４に記載の端末。
【請求項６】
前記符号圧縮データは、ＩＳＯベースメディアファイルフォーマットデータであって、ＡＡＣデータとＳＢＲデータとを含み、
前記コンテンツフレームは３ＧＰＰ又は３ＧＰＰ２ファイルフォーマットであり、
前記データ切り出し手段は、符号圧縮データを切り出した際に、切り出されたデータに続く残りのデータの先頭部分に、ＳＢＲデータのヘッダ部分が含まれない場合、前記切り出されたデータにおける最後の当該ヘッダ部分を、前記残りのデータの先頭部分にコピーすることを特徴とする請求項４に記載の端末。
【請求項７】
前記コンテンツ記憶手段に記憶された、前記切り出された符号圧縮データを、所定の時点で取得する再生トリガ手段と、
前記取得された符号圧縮データを解凍復号して、オーディオデータを出力する解凍復号手段と、
前記オーディオデータをスピーカから出力するスピーカ出力手段と
を更に有することを特徴とする請求項４に記載の端末。
【請求項８】
前記端末は携帯電話機であって、前記所定の時点は呼が着信した際であることを特徴とする請求項７に記載の端末。
【請求項９】
前記オーディオデータの時間カウントと、前記符号圧縮データの先頭からのデータ単位数カウントによって、利用者所望の時間位置におけるデータ単位数を切り出し位置情報として出力する切り出し位置指定手段を更に有し、
前記コンテンツ記憶手段は、前記切り出し位置情報を、当該コンテンツフレームの拡張機能部に格納する
ことを特徴とする請求項４に記載の端末。
【請求項１０】
１曲分のオーディオデータの符号圧縮データを含むコンテンツフレームのデータ構造であって、
前記コンテンツフレームに１つの拡張機能部を有し、該拡張機能部は、前記符号圧縮データにおける１つ以上の切り出し位置情報を含んでおり、
前記符号圧縮データは複数のチャンクを含み、各チャンクは複数のサンプルを含み、
前記切り出し位置情報は、サンプル単位で規定できる開始位置情報と終了位置情報とを有し、前記開始位置情報は、前記符号圧縮データの先頭から当該位置までのデータ単位数で表され、前記終了位置情報は、前記符号圧縮データの先頭から当該位置までのデータ単位数か又は前記開始位置情報から当該位置までのデータ単位数であり、前記開始位置情報及び前記終了位置情報は、当該位置を意味するテキスト情報及び／又は再生におけるフェード情報を更に含んでおり、
コンピュータが、前記開始位置情報と前記終了位置情報とによって示される間の前記符号圧縮データを部分的に切り出し、前記テキスト情報をディスプレイに表示し及び／又は前記フェード情報に基づいて前記コンテンツを再生する、
ことを特徴とするコンテンツフレームのデータ構造。
【請求項１１】
前記符号圧縮データは複数のフラグメントを含み、各フラグメントは、前記複数のチャンクを含むことを特徴とする請求項１０に記載のコンテンツフレームのデータ構造。
【請求項１２】
前記符号圧縮データはＩＳＯベースメディアファイルフォーマットデータであり、
前記コンテンツフレームは３ＧＰＰ又は３ＧＰＰ２ファイルフォーマットである
ことを特徴とする請求項１０に記載のコンテンツフレームのデータ構造。
【請求項１３】
コンピュータを搭載し、請求項１０に記載の前記コンテンツフレームを配信する装置におけるコンテンツ配信プログラムであって、
オーディオデータを符号圧縮して、符号圧縮データを出力する符号圧縮手段と、
前記オーディオデータの時間カウントと、前記符号圧縮データの先頭からのデータ単位数カウントによって、利用者所望の時間位置におけるデータ単位数を切り出し位置情報として出力する切り出し位置指定手段と、
前記符号圧縮データをデータ部に含め、前記切り出し位置情報を前記機能拡張部に含めて前記コンテンツフレームを生成するコンテンツフレーム生成手段と
してコンピュータを機能させることを特徴とするコンテンツ配信プログラム。
【請求項１４】
コンピュータを搭載し、請求項１０に記載の前記コンテンツフレームを再生する装置におけるコンテンツ再生プログラムであって、
前記コンテンツフレームと、切り出された符号圧縮データとを記憶するコンテンツ記憶手段と、
前記コンテンツフレームの拡張機能部に含まれる１つ以上の切り出し位置情報を利用者に選択させるために、選択可能な表示画面情報を出力する切り出し選択手段と、
前記選択された切り出し位置情報に相当する部分を、前記コンテンツフレームの符号圧縮データから切り出すデータ切り出し手段と
してコンピュータを機能させることを特徴とするコンテンツ再生プログラム。
【請求項１５】
前記符号圧縮データは、ＡＡＣデータとＳＢＲデータとからなるものであり、
前記データ切り出し手段は、符号圧縮データを切り出した際に、切り出されたデータに続く残りのデータの先頭部分に、ＳＢＲデータのヘッダ部分が含まれない場合、前記切り出されたデータにおける最後の当該ヘッダ部分を、前記残りのデータの先頭部分にコピーするようにコンピュータを機能させることを特徴とする請求項１４に記載のコンテンツ再生プログラム。
【請求項１６】
前記コンテンツ記憶手段に記憶された、前記切り出された符号圧縮データを、所定の時点で取得する再生トリガ手段と、
前記取得された符号圧縮データを解凍復号して、オーディオデータを出力する解凍復号手段と、
前記オーディオデータをスピーカから出力するスピーカ出力手段と
してコンピュータを機能させることを特徴とする請求項１４に記載のコンテンツ再生プログラム。
【請求項１７】
前記端末は携帯電話機であって、前記所定の時点は呼が着信した際であるようにコンピュータを機能させることを特徴とする請求項１６に記載のコンテンツ再生プログラム。
【請求項１８】
前記オーディオデータの時間カウントと、前記符号圧縮データの先頭からのデータ単位数カウントによって、利用者所望の時間位置におけるデータ単位数を切り出し位置情報として出力する切り出し位置指定手段として更に機能させ、
前記コンテンツ記憶手段は、前記切り出し位置情報を、当該コンテンツフレームの拡張機能部に格納するようにコンピュータを機能させることを特徴とする請求項１４に記載のコンテンツ再生プログラム。
【発明の詳細な説明】
【技術分野】
【０００１】
本発明は、音楽を再生するのためのコンテンツフレームを配信するコンテンツ配信サーバと、着信のようなイベント発生時にその音楽を再生する携帯電話機とに関する。
【背景技術】
【０００２】
携帯電話機の着信音は、複数の音符データ（音階データ、音量データ及び長さデータを含む）を先頭から順番に鳴動させることによって、１つのメロディを構成する。携帯電話機は、３０秒程度の音符データを、コンテンツ配信サーバからダウンロードする。
【０００３】
特開２００４−２３２９８号公報によれば、音符データの鳴動区間は、携帯電話機によって、自由に設定することができる。鳴動開始点と鳴動折り返し点とが指定され、所望の位置からメロディが発声される。
【０００４】
また、携帯電話機の処理能力の向上と共に、携帯電話機の着信音に、市販用音楽コンテンツの原音を用いる、という需要が高まっている。配信されるコンテンツは、携帯電話機の着信音として利用することを想定した短い時間で且つ小容量の符号圧縮データである。携帯電話機は、この符号圧縮データを、コンテンツ配信サーバからダウンロードする。携帯電話機が着信した場合、この符号圧縮データが解凍され且つ復号され、原音がスピーカから再生される。
【０００５】
図１は、携帯電話機に対するコンテンツ配信のためのシステム構成図である。
【０００６】
図１によれば、コンテンツ配信サーバ１は、インターネット４に接続され、携帯電話機２０は、携帯電話網５に接続される。携帯電話網５はゲートウェイ６を介してインターネット４に接続される。コンテンツ配信サーバ１が配信するコンテンツは、携帯電話機２０によって受信される。
【発明の開示】
【発明が解決しようとする課題】
【０００７】
しかしながら、特開２００４−２３２９８号公報によって、市販用音楽コンテンツに基づく符号圧縮データに、鳴動開始点を指定することはできない。なぜなら、オーディオデータは、音符データのように各音を分離できるものではないからである。
【０００８】
また、他の技術を用いて符号圧縮データに鳴動開始点を指定することができたとしても、その符号圧縮データの先頭からシークして鳴動開始点等を特定する必要が生じる。これは、直ぐに鳴動できないという問題となる。
【０００９】
従って、本発明は、インターネットを介して１曲分程度のオーディオデータに基づく符号圧縮データを携帯電話機へ配信し、利用者がその符号圧縮データから所望の範囲を切り出して着信音として登録することができるシステムを提供することを目的とする。
【課題を解決するための手段】
【００１０】
本発明によれば、オーディオデータの符号圧縮データを含むコンテンツフレームを配信するコンテンツ配信サーバであって、
コンテンツフレームは、符号圧縮データを部分的に切り出すことができるように、コンテンツフレームの拡張機能部に、符号圧縮データにおける１つ以上の切り出し位置情報を含んでおり、
オーディオデータを符号圧縮して、符号圧縮データを出力する符号圧縮手段と、
オーディオデータの時間カウントと、符号圧縮データの先頭からのデータ単位数カウントによって、利用者所望の時間位置におけるデータ単位数を切り出し位置情報として出力する切り出し位置指定手段と、
符号圧縮データをデータ部に含め、切り出し位置情報を拡張機能部に含めてコンテンツフレームを生成するコンテンツフレーム生成手段と
を有することを特徴とする。
【００１１】
本発明のコンテンツ配信サーバにおける他の実施形態によれば、
符号圧縮データは複数のフラグメントからなり、該フラグメントは複数のチャンクからなり、該チャンクは複数のサンプルからなり、
切り出し位置情報は、サンプル単位で規定できる開始位置情報と終了位置情報とを有し、開始位置情報は、符号圧縮データの先頭から当該位置までのデータ単位数で表され、終了位置情報は、符号圧縮データの先頭から当該位置までのデータ単位数か又は開始位置情報から当該位置までのデータ単位数であり、開始位置情報及び終了位置情報は、当該位置を意味するテキスト情報及び／又は再生におけるフェード情報を更に含むことも好ましい。
【００１２】
また、本発明のコンテンツ配信サーバにおける他の実施形態によれば、
符号圧縮データはＩＳＯベースメディアファイルフォーマットデータであり、
コンテンツフレームは３ＧＰＰ又は３ＧＰＰ２ファイルフォーマットである
ことも好ましい。
【００１３】
本発明によれば、オーディオデータの符号圧縮データを含むコンテンツフレームを受信する端末であって、
コンテンツフレームは、符号圧縮データを部分的に切り出すことができるように、コンテンツフレームの拡張機能部に、符号圧縮データにおける１つ以上の切り出し位置情報を含んでおり、
コンテンツフレームと、切り出された符号圧縮データとを記憶するコンテンツ記憶手段と、
コンテンツフレームの拡張機能部に含まれる１つ以上の切り出し位置情報を利用者に選択させるために、選択可能な表示画面情報を出力する切り出し選択手段と、
選択された切り出し位置情報に相当する部分を、コンテンツフレームの符号圧縮データから切り出すデータ切り出し手段と
を有することを特徴とする。
【００１４】
本発明の端末における他の実施形態によれば、
符号圧縮データは複数のフラグメントからなり、該フラグメントは複数のチャンクからなり、該チャンクは複数のサンプルからなり、
切り出し位置情報は、サンプル単位で規定できる開始位置情報と終了位置情報とを有し、開始位置情報は、符号圧縮データの先頭から当該位置までのデータ単位数で表され、終了位置情報は、符号圧縮データの先頭から当該位置までのデータ単位数か又は開始位置情報から当該位置までのデータ単位数であり、開始位置情報及び終了位置情報は、当該位置を意味するテキスト情報及び／又は再生におけるフェード情報を更に含むことも好ましい。
［００１５］
また、本発明の端末における他の実施形態によれば、
符号圧縮データは、ＩＳＯベースメディアファイルフォーマットデータであって、ＡＡＣデータとＳＢＲデータとを含み、
コンテンツフレームは３ＧＰＰ又は３ＧＰＰ２ファイルフォーマットであり、
データ切り出し手段は、符号圧縮データを切り出した際に、切り出されたデータに続く残りのデータの先頭部分に、ＳＢＲデータのヘッダ部分が含まれない場合、切り出されたデータにおける最後の当該ヘッダ部分を、残りのデータの先頭部分にコピーすることも好ましい。
［００１６］
更に、本発明の端末における他の実施形態によれば、
コンテンツ記憶手段に記憶された、切り出された符号圧縮データを、所定の時点で取得する再生トリガ手段と、
取得された符号圧縮データを解凍復号して、オーディオデータを出力する解凍復号手段と、
オーディオデータをスピーカから出力するスピーカ出力手段と
を更に有することも好ましい。
［００１７］
更に、本発明の端末における他の実施形態によれば、
端末は携帯電話機であって、所定の時点は呼が着信した際であることも好ましい。
［００１８］
更に、本発明の端末における他の実施形態によれば、
オーディオデータの時間カウントと、符号圧縮データの先頭からのデータ単位数カウントによって、利用者所望の時間位置におけるデータ単位数を切り出し位置情報として出力する切り出し位置指定手段を更に有し、
コンテンツ記憶手段は、切り出し位置情報を、当該コンテンツフレームの拡張機能部に格納することも好ましい。
【００１９】
本発明によれば、１曲分のオーディオデータの符号圧縮データを含むコンテンツフレームのデータ構造であって、
コンテンツフレームに１つの拡張機能部を有し、拡張機能部は、符号圧縮データにおける１つ以上の切り出し位置情報を含んでおり、
前記符号圧縮データは複数のチャンクを含み、各チャンクは複数のサンプルを含み、
前記切り出し位置情報は、サンプル単位で規定できる開始位置情報と終了位置情報とを有し、前記開始位置情報は、前記符号圧縮データの先頭から当該位置までのデータ単位数で表され、前記終了位置情報は、前記符号圧縮データの先頭から当該位置までのデータ単位数か又は前記開始位置情報から当該位置までのデータ単位数であり、前記開始位置情報及び前記終了位置情報は、当該位置を意味するテキスト情報及び／又は再生におけるフェード情報を更に含んでおり、
コンピュータが、前記開始位置情報と前記終了位置情報とによって示される間の前記符号圧縮データを部分的に切り出し、前記テキスト情報をディスプレイに表示し及び／又は前記フェード情報に基づいて前記コンテンツを再生することを特徴とする。
【００２０】
本発明のコンテンツフレームのデータ構造における他の実施形態によれば、
符号圧縮データは複数のフラグメントを含み、各フラグメントは、前記複数のチャンクを含むことも好ましい。
【００２１】
また、本発明のコンテンツフレームのデータ構造における他の実施形態によれば、
符号圧縮データはＩＳＯベースメディアファイルフォーマットデータであり、
コンテンツフレームは３ＧＰＰ又は３ＧＰＰ２ファイルフォーマットであることも好ましい。
【００２２】
本発明によれば、コンピュータを搭載し、前述したコンテンツフレームを配信する装置におけるコンテンツ配信プログラムであって、
オーディオデータを符号圧縮して、符号圧縮データを出力する符号圧縮手段と、
オーディオデータの時間カウントと、符号圧縮データの先頭からのデータ単位数カウントによって、利用者所望の時間位置におけるデータ単位数を切り出し位置情報として出力する切り出し位置指定手段と、
符号圧縮データをデータ部に含め、切り出し位置情報を機能拡張部に含めてコンテンツフレームを生成するコンテンツフレーム生成手段と
してコンピュータを機能させることを特徴とする。
【００２３】
本発明によれば、コンピュータを搭載し、前述したコンテンツフレームを再生する装置におけるコンテンツ再生プログラムであって、
コンテンツフレームと、切り出された符号圧縮データとを記憶するコンテンツ記憶手段と、
コンテンツフレームの拡張機能部に含まれる１つ以上の切り出し位置情報を利用者に選択させるために、選択可能な表示画面情報を出力する切り出し選択手段と、
選択された切り出し位置情報に相当する部分を、コンテンツフレームの符号圧縮データから切り出すデータ切り出し手段と
してコンピュータを機能させることを特徴とする。
【００２４】
本発明のコンテンツ再生プログラムにおける他の実施形態によれば、
符号圧縮データは、ＡＡＣデータとＳＢＲデータとからなるものであり、
データ切り出し手段は、符号圧縮データを切り出した際に、切り出されたデータに続く残りのデータの先頭部分に、ＳＢＲデータのヘッダ部分が含まれない場合、切り出されたデータにおける最後の当該ヘッダ部分を、残りのデータの先頭部分にコピーするようにコンピュータを機能させることも好ましい。
【００２５】
また、本発明のコンテンツ再生プログラムにおける他の実施形態によれば、
コンテンツ記憶手段に記憶された、切り出された符号圧縮データを、所定の時点で取得する再生トリガ手段と、
取得された符号圧縮データを解凍復号して、オーディオデータを出力する解凍復号手段と、
オーディオデータをスピーカから出力するスピーカ出力手段と
してコンピュータを機能させることも好ましい。
【００２６】
更に、本発明のコンテンツ再生プログラムにおける他の実施形態によれば、
端末は携帯電話機であって、所定の時点は呼が着信した際であるようにコンピュータを機能させることも好ましい。
【００２７】
更に、本発明のコンテンツ再生プログラムにおける他の実施形態によれば、
オーディオデータの時間カウントと、符号圧縮データの先頭からのデータ単位数カウントによって、利用者所望の時間位置におけるデータ単位数を切り出し位置情報として出力する切り出し位置指定手段として更に機能させ、
コンテンツ記憶手段は、切り出し位置情報を、当該コンテンツフレームの拡張機能部に格納するようにコンピュータを機能させることも好ましい。
【発明の効果】
【００２８】
本発明によれば、インターネットを介して１曲分程度のオーディオデータに基づく符号圧縮データを携帯電話機へ配信し、利用者がその符号圧縮データから所望の範囲を切り出して着信音として登録することができる。
【００２９】
コンテンツ配信事業者にとっては、サービス内容に応じて予め複数の切り出し範囲を指定することができ、利用者にとっては、突飛な音の部分から鳴動開始が避けられる。また、符号圧縮データが切り出されるので、鳴動開始点等のシークをする必要がなくなり、直ぐに鳴動できる。
【図面の簡単な説明】
【００３０】
【図１】携帯電話機に対するコンテンツ配信のためのシステム構成図である。
【図２】本発明におけるコンテンツフレームのデータ構造図である。
【図３】本発明におけるコンテンツ配信サーバ及び携帯電話機の機能構成図である。
【図４】切り出し位置指定部の機能構成図である。
【図５】切り出し選択部が出力する表示画面の例である。
【図６】オーディオフレームと符号圧縮データとの対応関係を示す説明図である。
【図７】ＡＡＣ及びＳＢＲによる符号圧縮データの切り出し時におけるヘッダコピーの説明図である。
【符号の説明】
【００３１】
１  コンテンツ配信サーバ
１０  符号圧縮部
１１  切り出し位置指定部
１２  スピーカ出力部
１３  ユーザインタフェース部
１４  フレームフォーマット生成部
２  携帯電話機
２０  フレームフォーマット生成部
２１  コンテンツ記憶部
２２  データ切り出し部
２３  切り出し選択部
２４  ユーザインタフェース部
２５  再生トリガ部
２６  解凍復号部
２７  スピーカ出力部
２８  切り出し位置指定部
３  パーソナルコンピュータ
４  インターネット
５  携帯電話網
６  ゲートウェイ
【発明を実施するための最良の形態】
【００３２】
インターネットを介した音楽配信に基づく符号圧縮データは、原音を符号化したＰＣＭ符号データに、更に圧縮をかけたものである。代表的なオーディオ圧縮方式は、ＭＰＥＧ１オーディオレイヤIII規格に基づくＭＰ３（ＩＳＯ／ＩＥＣ１１１７２−３、ＪＩＳ Ｘ４３２３）である。また、更なる拡張がなされたＭＰＥＧ２オーディオレイヤIII規格は、ＭＰＥＧ１の半分の標本化速度で実現できる（ＭＰＥＧ１は４４．１０ｋサンプル秒であり、ＭＰＥＧ２は２２．０５ｋサンプル秒である）。
【００３３】
ＭＰＥＧ２オーディオレイヤIIIは、ＭＰＥＧ１オーディオレイヤIIIと比較して、最大２０％〜５０％の符号化効率を達成するＡＡＣ(AdvancedAudio Coding)を規定する。ＩＳＯベースメディアファイルフォーマットであるＡＡＣは、非圧縮のＣＤオーディオに近い音質を再生することができる一方で、少ない処理能力で復号が可能となる。ＡＡＣのような圧縮方式は、低演算速度で且つ低メモリ量な携帯電話機においては、極めて有効である。
【００３４】
一方、マルチメディアの製作、配信及び再生において、国際標準規格３ＧＰＰ(3rd Generation Partnership Project)及び３ＧＰＰ２(3rd Generation PartnershipProject 2)がある。３ＧＰＰ(.3gp)及び３ＧＰＰ２(.3g2)は、オーディオについて、ＡＡＣを中核とし、拡張性を有するファイルフォーマットを採用する。
【００３５】
図２は、本発明におけるコンテンツフレームのデータ構造図である。
【００３６】
図２（Ａ）は、３ＧＰＰ及び３ＧＰＰ２のフレームフォーマットである。このフレームは、先頭から順に、拡張機能部と、ヘッダ部と、符号圧縮データであるＡＡＣデータを分割した１つ以上のフラグメントとを有する。フラグメントは、およそ１５秒程度の単位である。ヘッダ部は、フレームの先頭から当該フラグメントまでのバイト数を記録する。尚、フレームの先頭からのフラグメント数であってもよい。
【００３７】
図２（Ｂ）は、フラグメントのフレーム構成である。１つのフラグメントは、複数のチャンクから構成される。チャンクは、およそ１秒程度の単位である。ヘッダ部は、フラグメントの先頭から当該チャンクまでのバイト数を記録する。尚、フラグメントの先頭からのチャンク数であってもよい。
【００３８】
図２（Ｃ）は、チャンクのフレーム構成である。１つのチャンクは、複数のサンプルから構成される。従って、後述するような圧縮データの切り出し位置は、このサンプル単位によって指定される。
【００３９】
図２（Ｄ）は、拡張機能部ｕｕｉｄ(UniversallyUnique Information Data)のフレーム構成である。拡張機能部は、サービスに応じてコンテンツ製作者が独自に情報を含めることができる部分である。拡張機能部は、通常、著作権者情報等を含む。本発明によれば、この拡張機能部が、切り出し位置指定部を含む。
【００４０】
図２（Ｅ）は、切り出し位置指定部のフレーム構成である。切り出し位置指定部は、識別子ＩＤと、切り出し可フラグと、複数の切り出し位置情報とを含む。切り出し可フラグは、切り出し可能な場合にセットされる。この場合にのみ、切り出し位置情報が意味を持つ。切り出し位置情報は、符号圧縮データのチャンク単位で、切り出し可能な範囲を指定する情報を記録する。
【００４１】
図２（Ｆ）は、切り出し位置情報部のフレーム構成である。切り出し位置情報部は、開始位置情報と、終了位置情報と、開始位置情報に基づくＩＮパラメータと、終了位置情報に基づくＯＵＴパラメータとを含む。開始位置情報と終了位置情報とは、データ部の先頭からのバイト数で表される。勿論、フラグメント数、チャンク数及びサンプル数で表されるものであってもよい。また、ＩＮパラメータとしては、例えば、その位置に関するタイトルテキストを含む。更に、ＩＮパラメータ及びＯＵＴパラメータは、切り出されたコンテンツの開始部分及び終了部分に対するフェード情報（例えば、フェードイン／フェードアウト）も含む。
【００４２】
ＩＮパラメータに含まれるフェードイン情報は、オーディオデータにおける利得パラメータ値を所定時間範囲で増加させる。ＯＵＴパラメータに含まれるフェードアウト情報は、オーディオデータにおける利得パラメータ値を所定時間範囲で減少させる。このような複数のフェード特性は、予めコンテンツ配信サーバと携帯電話機との間で共有する。各フェード特性を示すフェード情報は、ＩＮパラメータ及びＯＵＴパラメータに含まれる。
【００４３】
図３は、本発明におけるコンテンツ配信サーバ及び携帯電話機の機能構成図である。これら各機能は、プログラムによって実現されることが好ましい。
【００４４】
図３のコンテンツ配信サーバ１は、原音データを入力し、符号圧縮データを含むコンテンツフレームを出力する。コンテンツ配信サーバ１は、符号圧縮部１０と、切り出し位置指定部１１と、スピーカ出力部１２と、ユーザインタフェース部１３と、フレームフォーマット生成部１４とを有する。
【００４５】
符号圧縮部１０は、原音データを入力し、既存のＰＣＭ符号化及びＡＡＣ符号化し、符号圧縮データを出力する。このとき、符号圧縮部１０は、原音データの進行時刻に対応するバイト位置情報を出力する。尚、符号圧縮部１０は、後述するＡＡＣ＋ＳＢＲ符号化機能を有してもよい。
【００４６】
切り出し位置指定部１１は、原音データの時間カウントと、符号圧縮データのバイト数カウントとを対応付けながら、ユーザ操作による切り出しトリガによって、その先頭からのバイト数を特定する。切り出し位置として特定されたバイト数は、フレームフォーマット生成部１４へ送信される。尚、位置を特定するカウントのためのデータ単位数は、バイト数に限られず、サンプル数であってもよい。
【００４７】
スピーカ出力部１２は、原音データをスピーカから再生し、切り出し位置を決定しようとする操作者に原音を聞かせる。ユーザインタフェース部１３は、画面表示によって操作者に切り出し位置を決定させると共に、その位置に記録すべきタイトルテキストを入力させる。
【００４８】
フレームフォーマット生成部１４は、符号圧縮部１０から出力された符号圧縮データから、３ＧＰＰ又は３ＧＰＰ２のフォーマットを生成する。このとき、符号圧縮データをフラグメント及びチャンクに区分し、切り出し位置指定部１１から出力された切り出し位置情報を、拡張機能部に格納する。
【００４９】
図３の携帯電話機２は、符号圧縮データを含むコンテンツフレームを入力する。携帯電話機２は、フレームフォーマット解析部２０と、コンテンツ記憶部２１と、データ切り出し部２２と、切り出し選択部２３と、ユーザインタフェース部２４と、再生トリガ部２５と、解凍復号部２６と、スピーカ出力部２７と、切り出しポイント指定部２８とを有する。
【００５０】
フレームフォーマット解析部２０は、３ＧＰＰ又は３ＧＰＰ２のコンテンツフレームを解析し、そのコンテンツフレームをコンテンツ記憶部２１へ送信する。コンテンツ記憶部２１は、受信したコンテンツフレームを記憶する。
【００５１】
データ切り出し部２２は、ユーザ指定に応じて、所望のコンテンツフレームをコンテンツ記憶部２１から取得する。このとき、データ切り出し部２２は、取得されたコンテンツフレームから、拡張機能部を抽出し、切り出し可フラグがセットさせているか否かを判断する。切り出し可フラグがセットされていれば、データ切り出し部２２は、複数の切り出し位置情報を切り出し選択部２３へ送信する。その後、データ切り出し部２２は、切り出し選択部２３から、利用者によって選択された切り出し位置情報を受信した際に、その切り出し位置情報に基づいて符号圧縮データを切り出す。切り出された符号圧縮データは、コンテンツ記憶部２１によって記憶される。
【００５２】
データ切り出し部２２は、拡張機能部からフェード情報を認識した場合、フェードカーブを切り替えながらその符号圧縮データを切り出す。特に、ＡＡＣデータについては、利得パラメータglobal_gainを増減させる。また、ＳＢＲデータにつては、利得パラメータbs_data_envを増減させる。この増減は、時間進行に対して、単調的に増減するものであってもよいし、指数曲線的に増減するものであってもよい。また、予め指定された特徴ある曲線的に増減するものであってもよい。
【００５３】
切り出し選択部２３は、データ切り出し部２２から受信した切り出し位置情報から、利用者が選択可能な画面情報を構成する。その画面情報は、ユーザインタフェース部２４へ送信される。その後、切り出し選択部２３は、ユーザインタフェース部２４から利用者の選択情報を受信し、利用者によって選択された切り出し位置情報を特定する。その切り出し位置情報は、データ切り出し部２２へ送信される。
【００５４】
ユーザインタフェース部２４は、携帯電話機のディスプレイに、切り出し選択部２３から受信した画像情報を表示する。そして、ユーザインタフェース部２４は、キーパッドによって入力された利用者の指定情報を切り出し選択部２３へ送信する。
【００５５】
再生トリガ部２５は、原音データを再生する時に、コンテンツ記憶部２１から、切り出された符号圧縮データを取得する。再生する時とは、例えば、携帯電話機の着信時、メール受信時、又は利用者がコンテンツの再生を希望した時がある。
【００５６】
解凍復号部２６は、再生トリガ部２５から受信した符号圧縮データに対して、既存のＡＡＣ復号化及びＳＢＲ復号化をする。復号化された原音データは、スピーカ出力部２７へ出力される。このとき、解凍復号部２６は、原音データの進行時刻に対応するバイト位置情報を、切り出し位置指定部２８へ出力する。
【００５７】
スピーカ出力部２７は、解凍復号部２６から通知された音声信号を、スピーカから発声する。
【００５８】
携帯電話機２において、利用者による自由な切り出し位置の指定を可能にする場合には、更に切り出し位置指定部２８を含む。切り出し位置指定部２８は、コンテンツ配信サーバ１の切り出し位置指定部１１と同様の機能を有する。切り出し位置指定部２８は、原音データの時間カウントと、符号圧縮データのバイト数カウントとを対応付けながら、利用者の操作による切り出しトリガによって、先頭からのバイト数を特定する。切り出し位置として特定されたバイト数は、コンテンツ記憶部２１へ記憶される。
【００５９】
図４は、図３のコンテンツ配信サーバ及び携帯電話機に含まれる切り出し位置指定部の機能構成図である。
【００６０】
切り出し位置指定部は、バイト数カウンタ１１０と、時間カウンタ１１１と、切り出し位置情報生成部１１２と、タイトルテキスト取得部１１３と、切り出しトリガ部１１４とを有する。バイト数カウンタ１１０は、符号圧縮データのバイト数をカウントする。これにより、原音データの特定の時間位置における、符号圧縮データのバイト数を特定することができる。時間カウンタ１１１は、原音データの時間をカウントする。これにより、原音データの時刻とバイト数カウントとを対応付けることができる。切り出しトリガ部１１４は、利用者の操作による切り出しトリガ時点を、切り出し位置情報生成部１１２へ送信する。タイトルテキスト取得部１１３は、ユーザ操作による当該切り出し位置を意味するタイトルテキストを取得する。タイトルテキストは、切り出し位置情報生成部１１２へ送信される。切り出し位置情報生成部１１２は、トリガ時点におけるバイト数と、タイトルテキストとから、前述した図２（Ｆ）の切り出し位置情報を生成し且つ出力する。
【００６１】
図５は、携帯電話機の切り出し選択部が出力する表示画面の例である。
【００６２】
図５（Ａ）は、１つの楽曲について、「前奏」「Ａメロ」「Ｂメロ」・・・「サビ」「間奏」・・・の表示タイトルを表示している。これら表示タイトルは、切り出し位置情報それぞれのパラメータ部分に書き込まれている。利用者は、切り出しを所望する部分を選択することができる。
【００６３】
図５（Ｂ）は、図５（Ａ）によって選択された切り出し開始位置から、何小節分を切り出すかを指定することができる画面を表示している。
【００６４】
図６は、オーディオフレームと符号圧縮データとの対応関係を示す説明図である。
【００６５】
図６（Ａ）は、圧縮効率を優先したものであり、オーディオフレームに対応しない符号圧縮データを示す説明図である。この場合、時間進行と符号圧縮データ量とは比例対応しない。従って、無音の多い原音部分は、圧縮効率が高く、複雑な原音部分は、圧縮効率が悪い。このような場合、時間カウンタの増加とバイト数カウンタの増加とは比例しない。
【００６６】
図６（Ｂ）は、オーディオフレームに対応した固定レートなる符号圧縮データを示す説明図である。この場合、スタッフィングデータを空き部分に埋める必要があるために、全体の圧縮効率は低下する。但し、時間進行と符号圧縮データ量とは比例対応する。従って、原音データの時間位置と圧縮データの位置とが一意に特定できる。
【００６７】
図７は、ＡＡＣ及びＳＢＲによる符号圧縮データの切り出し時におけるヘッダコピーの説明図である。
【００６８】
ＳＢＲ（Spectral BandReplication：スペクトル帯域複製）は、復号側で低域信号を用いて高域信号を複製することによって音質を向上させる。ＳＢＲのためにヘッダ部が必要となる。符号圧縮データを切り出した際に、切り出されたデータに続く残りのデータの先頭部分に、ＳＢＲデータのヘッダ部分が含まれない場合、その残りのデータが十分に再生されない。そこで、切り出されたデータにおける最後の当該ヘッダ部分を、残りのデータの先頭部分にコピーすることにより、切り出した残りのデータについても再生可能とする。
【００６９】
最後に、サービス上の副次的な課題と、本発明における効果について説明する。
【００７０】
コンテンツ配信事業者にとっては、配信した市販用音楽コンテンツに対する相当程度の料金を利用者から徴収する必要がある。この料金の一部は、その音楽コンテンツの著作権料を含む。これに対し、利用者にとっては、着信音のように短い時間でしか楽曲を再生しないために低料金であることを希望するが、再生できる部分を自分の好みに応じて自由に切り出したいと考える場合がある。一方、コンテンツ配信事業者は、１曲分程度の楽曲を配信するには１曲分相当程度の料金を利用者から徴収する必要がある。
【００７１】
このような場合には、コンテンツ配信事業者は１曲分配信するが、利用者が短い時間範囲でしか再生しないことが明らかであれば、その再生に相当する分の料金のみを徴収するという解決策もある。
【００７２】
そこで、本発明を用いることによって、コンテンツ配信事業者は、１曲分程度の楽曲の配信によって相当程度の料金を利用者から徴収できる。また、利用者にとっては、短い時間範囲でしか再生しないことが明らかであれば、その再生に相当する分の料金しか徴収されない。このようなサービスを実現する上で、本発明における技術的特徴が必要となる。
【００７３】
前述した本発明における種々の実施形態によれば、本発明の技術思想及び見地の範囲の種々の変更、修正及び省略を、当業者によれば容易に行うことができる。前述の説明はあくまで例であって、何ら制約しようとするものではない。本発明は、特許請求の範囲及びその均等物として限定するものにのみ制約される。
【図１】
0004404091.tif 000002
【図２】
0004404091.tif 000003
【図３】
0004404091.tif 000004
【図４】
0004404091.tif 000005
【図５】
0004404091.tif 000006
【図６】
0004404091.tif 000007
【図７】
0004404091.tif 000008